【手続補正書】
【提出日】平成26年12月12日(2014.12.12)
【手続補正１】
【補正対象書類名】明細書
【補正対象項目名】０００５
【補正方法】削除
【補正の内容】
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
しかしながら、特許文献１のような遊技機では、遊技に対する興趣が高められなかった。
【手続補正４】
【補正対象書類名】明細書
【補正対象項目名】０００８
【補正方法】変更
【補正の内容】
【０００８】
そこで、本発明は上述したような問題点に鑑みてなされたものであって、新たな遊技性を実現し、遊技の興趣を高めることができる遊技機の提供を主たる目的とする。
【手続補正５】
【補正対象書類名】明細書
【補正対象項目名】０００９
【補正方法】変更
【補正の内容】
【０００９】
以上の課題を解決するため、請求項１に記載の発明は、
遊技領域における始動入賞領域への遊技球の入賞に基づいて、複数の識別情報を変動表示する変動表示ゲームを表示可能な表示部を有する変動表示装置と、遊技球を入賞不可能とする第１状態と遊技球を入賞可能とする第２状態とに変換可能な変動入賞装置と、を備え、前記変動表示ゲームの結果が特別結果となった場合に、前記変動入賞装置を前記第２状態に変換して、遊技者に対し所定の遊技価値を付与する特別遊技状態を発生可能な制御手段を有する遊技機において、
前記特別遊技状態の終了後、通常遊技状態よりも前記特別遊技状態が発生する確率が高められる特定遊技状態を発生可能であり、
前記変動入賞装置は、
遊技領域の所定の位置に配設される第１変動入賞装置と、該第１変動入賞装置とは異なる位置に配設される第２変動入賞装置と、を備え、
前記特別遊技状態には、第１特別遊技状態と、該第１特別遊技状態よりも遊技者に付与する遊技価値の低い第２特別遊技状態と、が含まれ、
前記制御手段は、
前記特定遊技状態として、前記第１特別遊技状態の終了後、通常遊技状態よりも前記第２特別遊技状態が発生する確率を高めるように制御可能であり、
前記第１特別遊技状態が発生した場合には、前記第１変動入賞装置もしくは前記第２変動入賞装置を前記第１状態から前記第２状態に変換して当該第１特別遊技状態を制御可能である一方、
前記第２特別遊技状態が発生した場合には、前記第２変動入賞装置を前記第１状態から前記第２状態に変換して当該第２特別遊技状態を制御可能であり、
前記第２特別遊技状態において、前記第２変動入賞装置が前記第２状態に変換される変換態様が複数設定されることを特徴としている。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項１に記載の発明によれば、新たな遊技性を実現し、遊技の興趣を高めることができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項２に記載の発明は、請求項１に記載の遊技機において、
前記第２変動入賞装置の内部に設定され、当該第２変動入賞装置が前記第１状態から前記第２状態に変換されることにより遊技球が流入可能な特定領域を備え、
前記制御手段は、
前記特定遊技状態として、前記第１特別遊技状態の終了後、通常遊技状態よりも当該第１特別遊技状態が発生する確率を高めるように制御可能であり、
発生した前記特別遊技状態において、前記特定領域へ遊技球が流入したことに基づいて、前記特定遊技状態を発生させることが可能であることを特徴としている。
【手続補正１１】
【補正対象書類名】明細書
【補正対象項目名】００１８
【補正方法】変更
【補正の内容】
【００１８】
請求項２に記載の発明によれば、発生した特別遊技状態において、特定領域へ遊技球が流入したことに基づいて、特定遊技状態を発生させることができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
本発明によれば、新たな遊技性を実現し、遊技の興趣を高めることができる。
【手続補正２１】
【補正対象書類名】特許請求の範囲
【補正対象項目名】全文
【補正方法】変更
【補正の内容】
【特許請求の範囲】
【請求項１】
遊技領域における始動入賞領域への遊技球の入賞に基づいて、複数の識別情報を変動表示する変動表示ゲームを表示可能な表示部を有する変動表示装置と、遊技球を入賞不可能とする第１状態と遊技球を入賞可能とする第２状態とに変換可能な変動入賞装置と、を備え、前記変動表示ゲームの結果が特別結果となった場合に、前記変動入賞装置を前記第２状態に変換して、遊技者に対し所定の遊技価値を付与する特別遊技状態を発生可能な制御手段を有する遊技機において、
前記特別遊技状態の終了後、通常遊技状態よりも前記特別遊技状態が発生する確率が高められる特定遊技状態を発生可能であり、
前記変動入賞装置は、
遊技領域の所定の位置に配設される第１変動入賞装置と、該第１変動入賞装置とは異なる位置に配設される第２変動入賞装置と、を備え、
前記特別遊技状態には、第１特別遊技状態と、該第１特別遊技状態よりも遊技者に付与する遊技価値の低い第２特別遊技状態と、が含まれ、
前記制御手段は、
前記特定遊技状態として、前記第１特別遊技状態の終了後、通常遊技状態よりも前記第２特別遊技状態が発生する確率を高めるように制御可能であり、
前記第１特別遊技状態が発生した場合には、前記第１変動入賞装置もしくは前記第２変動入賞装置を前記第１状態から前記第２状態に変換して当該第１特別遊技状態を制御可能である一方、
前記第２特別遊技状態が発生した場合には、前記第２変動入賞装置を前記第１状態から前記第２状態に変換して当該第２特別遊技状態を制御可能であり、
前記第２特別遊技状態において、前記第２変動入賞装置が前記第２状態に変換される変換態様が複数設定されることを特徴とする遊技機。
【請求項２】
前記第２変動入賞装置の内部に設定され、当該第２変動入賞装置が前記第１状態から前記第２状態に変換されることにより遊技球が流入可能な特定領域を備え、
前記制御手段は、
前記特定遊技状態として、前記第１特別遊技状態の終了後、通常遊技状態よりも当該第１特別遊技状態が発生する確率を高めるように制御可能であり、
発生した前記特別遊技状態において、前記特定領域へ遊技球が流入したことに基づいて、前記特定遊技状態を発生させることが可能であることを特徴とする請求項１に記載の遊技機。